(57)【特許請求の範囲】
【請求項１】
ダニアレルゲンを濃度が0.０５〜0.１mgO3／Ｌのオゾン水により0.０５mgO3／Ｌ・min 以上の条件で接触処理することを特徴とするダニアレルゲン低減方法。
【請求項２】
ダニアレルゲンが付着するアレルゲン付着物を水洗する際に、水槽内の水にオゾンガスを注入して水槽内の水をオゾン水となし、そのオゾン水により前記アレルゲン付着物を水洗することを特徴とする請求項１に記載のダニアレルゲン低減方法。
【発明の詳細な説明】
【０００１】
【産業上の利用分野】
本発明は布団や畳、衣類等に付着して人体に悪影響を及ぼすダニアレルゲン、特にその悪影響が大きいヒョウダニアレルゲンをオゾン水により化学的に分解するダニアレルゲン低減方法に関する。なお、本明細書ではヒョウダニ、ヒョウダニアレルゲンを単にダニ、ダニアレルゲンと称す。
【０００２】
【従来の技術】
ダニの死骸や分泌・排泄物が人体に接触もしくは体内に侵入すると、鼻炎、喘息、皮膚炎等のアレルギー症状が引き起こされることがある。そのため、ダニの死骸や分泌・排泄物は、ダニから区別してダニアレルゲンと呼ばれている。
【０００３】
ダニアレルゲンによるアレルギー症状を取り除くにはダニアレルゲンを低減するのが最も効果的である。その方法としては、洗濯機や掃除機による物理的除去が一般的である。しかし、ダニアレルゲンは細かく粉砕されるために例えば掃除機のフィルタは通過してしまう。そのため、物理的除去は根本的な低減策にはならず、二次汚染を生じる危険性もある。
【０００４】
このようなことから、最近はダニアレルゲンを化学的に分解することが考えられており、その一つが特開平５−５８８２６号公報に示されたオゾンガスによる処理である。
【０００５】
【発明が解決しようとする課題】
しかしながら、オゾンガスによる処理は非常に効率が低く、ガスのみの場合は有効な結果を得るのに時間単位の処理を必要とする。特開平５−５８８２６号公報に示された処理では、加熱が併用されているが、それでも１時間を超える処理が必要である。その上、加熱装置による装置規模の大型化および装置価格の上昇が問題になる。
【０００６】
本発明の目的は加熱等の二次処理を併用することなく、分単位の処理時間でダニアレルゲンを効果的に分解することができる非常に高効率なダニアレルゲン低減方法を提供することにある。
【０００７】
【課題を解決するための手段】
本発明のダニアレルゲン低減方法は、ダニアレルゲンを濃度が0.０５〜0.１mgO3／Ｌのオゾン水により0.０５mgO3／Ｌ・min 以上の条件で接触処理するものである。
【０００８】
【作用】
0.０５mgO3／Ｌ・min 以上とは、例えば処理時間が１分の場合は１リットル当り0.０５ｍｇ以上のオゾンが溶解したオゾン水を用い、処理時間が１０分の場合は１リットル当り0.００５ｍｇ以上のオゾンが溶解したオゾン水を用いるという意味である。換言すれば、１リットル当り0.０５ｍｇのオゾンが溶解したオゾン水を用いる場合は１分以上の処理時間を必要とし、１リットル当り0.００５ｍｇのオゾンが溶解したオゾン水を用いる場合は１０分以上の処理時間を必要とすることである。
【０００９】
このようなオゾン水処理条件が満足されることにより、分単位の処理でダニアレルゲンの効果的な分解が可能となる。具体的にはオゾンガスによる必要処理時間を１とすると、オゾン水による必要処理時間は１／５〜１／１０程度に短縮される。これはオゾンガスよりオゾン水の方が、ダニアレルゲンに対する接触効率が格段に高いためと考えられる。特に効率的なオゾン水の濃度は0.０５〜0.１mgO3／Ｌである。その場合の必要最小処理時間は１〜５分である。
【００１０】
【実施例】
以下に本発明の実施例について説明する。図１は本発明を実施するための処理装置の１例を示す模式図である。
【００１１】
処理槽１には水が収容されている。また、その水に先端の散気管２（微細ガラスフィルタ）が浸かるように、オゾン注入管３が挿入されている。オゾン注入管３にはオゾン発生器４から流量計５を介してオゾンガスが供給される。供給されるオゾンガスの濃度を連続測定するために、オゾン発生器４にはモニター６が取り付けられている。
【００１２】
今回の実験では、被処理物８としてダニアレルゲンを付着させた布を処理槽１内の水に浸け、その水にオゾン注入管３からオゾンガスを注入した。これにより、オゾンガス中のオゾンが水に溶解してオゾン水が生成され、そのオゾン水により被処理物８が接触処理される。オゾン水の濃度を目標値に管理するため、オゾンガスの濃度および供給量を操作した。水に溶解しなかった余剰のオゾンは活性炭を充填したキラー７により分解される。
【００１３】
ダニアレルゲンとしてのヒョウダニ飼育培地をリン酸緩衝液に混合し攪拌した後、上清を綿布に滴下し、室温で２４時間風乾したものを、被処理物８として用いた。オゾン水の濃度を0.００５〜0.１mgO3／Ｌ、処理時間を１〜１０分の各範囲で種々変化させたときの、オゾン水処理条件（mgO3／Ｌ・min ）とダニアレルゲン低減率（％）との関係を図２に示す。
【００１４】
ダニアレルゲン低減率とは〔（Ｏ2 で処理した場合のダニアレルゲン量−オゾンで処理した場合のダニアレルゲン量）／Ｏ2 で処理した場合のダニアレルゲン量〕である。ダニアレルゲン量はダニアレルゲンを付着させた布（被処理物）を処理水と共に超音波ホモジナイザーにより１分間処理し、２４時間静置して抗原を溶出させた後、上清中の抗原量をエリーサ法により計測したものである。
【００１５】
図２からわかるように、オゾン水処理条件が0.０５mgO3／Ｌ・min 以上の場合に分単位の処理でダニアレルゲンがほぼ完全に分解される。
【００１６】
本発明のダニアレルゲン低減方法は、ダニアレルゲンが付着するアレルゲン付着物の水洗処理、具体的には衣類の洗濯、カーペットや寝具のクリーニングなどに、簡単に適用することができる。換言すれば、家庭用洗濯機、業務用洗濯機、カーペットのクリーニング装置、寝具のクリーニング装置等において本発明を簡単に実施することができる。
【００１７】
すなわち、前記実施例は専用の処理槽を使用するが、水洗を伴う他の処理に使用される水槽を利用することにより、より簡単に本発明を実施することができるのである。
【００１８】
図３は家庭用洗濯機において本発明を実施する場合の装置構成の１例を示す模式図である。
【００１９】
本装置構成では、オゾン発生器４で発生させたオゾンガスが逆止弁９を介してアスピレーター１０に送られる。アスピレーター１０は水流によりガスを吸い込む構造のものであり、洗濯槽１１内の水に浸漬するように槽内に設置されている。洗濯槽１１内で洗濯を行うと、アスピレーター１０から槽内の水にオゾンガスが注入され、その水がオゾン水となる。従って、槽内の洗濯物に付着するダニアレルゲンがオゾン水により接触処理され分解する。オゾン水処理条件は0.０５mgO3／Ｌ・min 以上であり、これが満足されるように槽内の水量および洗濯時間に応じてオゾンガス注入量が選択される。この条件が満足されることにより、洗濯時間内にダニアレルゲンの分解が完了する。
【００２０】
同様にカーペットのクリーニング装置、寝具のクリーニング装置等において、クリーニング水へオゾンガスを注入するガス注入系を設けることにより、クリーニング物に付着するダニアレルゲンがオゾン水により接触処理され分解する。
【００２１】
本発明のダニアレルゲン低減方法は、分単位でダニアレルゲンを効果的に分解できる。それ故に洗濯やクリーニングなどへの適用が可能となる。オゾンガスの場合は時間単位の処理が必要であるので、他の処理中にダニアレルゲンの分解を終えることは困難である。
【００２２】
【発明の効果】
以上に説明した通り、本発明のダニアレルゲン処理方法は、濃度が0.０５〜0.１mgO3／Ｌのオゾン水による接触処理を用いることにより、加熱等の二次処理を併用することなく、分単位の処理時間でダニアレルゲンを効果的に分解することができる。そのため洗濯、クリーニングなどの水洗を伴う他の処理に簡単に適用することができる。
【図面の簡単な説明】
【図１】本発明を実施するのに適した処理装置の１例を示す模式図である。
【図２】ダニアレルゲン低減率と処理条件との関係を示す図表である。
【図３】家庭用洗濯機において本発明を実施する場合の装置構成の１例を示す模式図である。
【符号の説明】
１  処理槽
３  オゾン注入管
４  オゾン発生器
８  被処理物
１０  アスピレーター
１１  洗濯槽
【図１】
0003669741.tif 000002
【図２】
0003669741.tif 000003
【図３】
0003669741.tif 000004